(57)【要約】【課題】リモコンを用いて映像表示装置を操作することがない場合にリモコン受光部が目立たたず、高い意匠性を有する映像表示装置を提供する。【解決手段】映像表示装置は、筐体、表示部、リモコン受光部及び導光装置を備える。筐体は、背面、上面、底面及び側面を有し、背面に取り付け部を備え、上面、底面及び側面から選択される少なくともひとつの面に開口部を有する。表示部は、筐体に収容され、映像を表示する。リモコン受光部は、筐体に収容され、開口部に対向し、リモコンからの赤外線光を受光する。導光装置は、導光部及びホルダーを備える。導光部は、入射面及び出射面を有し、入射面に入射した光を出射面まで導き出射面から出射させる。ホルダーは、導光部を保持した状態で取り付け部に着脱可能である。ホルダーが取り付け部に取り付けられた場合には、出射面が、開口部を介してリモコン受光部に対向する。【選択図】図１
2020182036.tif 000002
【特許請求の範囲】
【請求項１】
背面、上面、底面及び側面を有し、前記背面に取り付け部を備え、前記上面、前記底面及び前記側面から選択される少なくともひとつの面に開口部を有する筐体と、
前記筐体に収容され、映像を表示する表示部と、
前記筐体に収容され、前記開口部に対向し、リモコンからの赤外線光を受光するリモコン受光部と、
入射面及び出射面を有し前記入射面に入射した光を前記出射面まで導き前記出射面から出射させる導光部と、前記導光部を保持した状態で前記取り付け部に着脱可能であるホルダーと、を備え、前記ホルダーが前記取り付け部に取り付けられた場合に前記出射面が前記開口部を介して前記リモコン受光部に対向する導光装置と、
を備える映像表示装置。
【請求項２】
前記筐体は、前記背面に複数の取り付け部を備え、前記少なくともひとつの面に前記複数の取り付け部にそれぞれ対応する複数の開口部を有し、
前記筐体に収容され、前記複数の開口部にそれぞれ対向し、前記赤外線光を受光する複数のリモコン受光部を備え、
前記ホルダーは、前記複数の取り付け部に含まれる第１の取り付け部に取り付けられ、
前記複数の取り付け部に含まれる、前記第１の取り付け部以外の第２の取り付け部に取り付けられ、前記第２の取り付け部に対応する開口部を塞ぐカバーをさらに備える
請求項１の映像表示装置。
【請求項３】
前記導光部は、前記ホルダーから着脱可能である
請求項１又は２の映像表示装置。
【発明の詳細な説明】
【技術分野】
【０００１】
本発明は、映像表示装置に関する。
【背景技術】
【０００２】
液晶テレビ等の映像表示装置には、多くの場合は、映像表示装置を操作するためのリモコンが付属する。また、映像表示装置は、リモコンからの赤外線光を受光するリモコン受光部を備える。従来は、リモコン受光部は、映像表示装置のベゼルに収納されることが多かった。
【０００３】
しかし、近年においては、液晶テレビ等の映像表示装置は、狭額縁タイプのベゼルを有する映像表示装置が主流となっている。このため、近年においては、リモコン受光部を映像表示装置のベゼルに収納することが物理的に困難になってきている。
【０００４】
特許文献１に記載された表示装置においては、リモコン受光部本体が、表示装置の背面部に取り付けられる（段落００１７及び００２１）。リモコン受光部本体は、リモコン受光部本体収容部より引き出し可能である（段落００２１）。これにより、表示装置のベゼルが狭額縁タイプであっても、リモコン受光装置を提供することができる（段落０００６及び０００８）。
【先行技術文献】
【特許文献】
【０００５】
【特許文献１】特開２０１７−２２５１８３号公報
【発明の概要】
【発明が解決しようとする課題】
【０００６】
しかし、特許文献１に記載された表示装置においては、リモコン受光部本体をリモコン受光部本体収容部から完全に引き出して取り外すことができない。このため、リモコンを用いて表示装置を操作することがない場合も、リモコン受光部本体の一部がリモコン受光部本体収容部からはみ出し、表示装置の意匠性が損なわれる。
【０００７】
本発明は、この問題に鑑みてなされた。本発明が解決しようとする課題は、リモコンを用いて映像表示装置を操作することがない場合にリモコン受光部が目立たたず、高い意匠性を有する映像表示装置を提供することである。
【課題を解決するための手段】
【０００８】
映像表示装置は、筐体、表示部、リモコン受光部及び導光装置を備える。
【０００９】
筐体は、背面、上面、底面及び側面を有する。筐体は、背面に取り付け部を備える。筐体は、上面、底面及び側面から選択される少なくともひとつの面に開口部を有する。
【００１０】
表示部は、筐体に収容される。表示部は、映像を表示する。
【００１１】
リモコン受光部は、筐体に収容される。リモコン受光部は、開口部に対向する。リモコン受光部は、リモコンからの赤外線光を受光する。
【００１２】
導光装置は、導光部及びホルダーを備える。導光部は、入射面及び出射面を有する。導光部は、入射面に入射した光を出射面まで導き出射面から出射させる。ホルダーは、導光部を保持した状態で取り付け部に着脱可能である。ホルダーが取り付け部に取り付けられた場合には、出射面が、開口部を介してリモコン受光部に対向する。
【発明の効果】
【００１３】
本発明によれば、リモコン受光部が筐体に収容されるので、リモコンを用いて映像表示装置を操作することがない場合にリモコン受光部が目立たない。このため、高い意匠性を有する映像表示装置を提供することができる。
【００１４】
この発明の目的、特徴、局面及び利点は、以下の詳細な説明と添付図面とによって、より明白となる。
【図面の簡単な説明】
【００１５】
【図１】実施の形態１及び３の映像表示装置を模式的に図示する斜視図である。
【図２】実施の形態１及び３の映像表示装置の一部を模式的に図示する断面図である。
【図３】実施の形態１及び３の映像表示装置の、導光装置が取り付け部から取り外された状態を模式的に図示する斜視図である。
【図４】実施の形態１の映像表示装置の、導光装置が取り付け部から取り外された状態を模式的に図示する側面図である。
【図５】実施の形態１の映像表示装置の、導光装置が取り付け部から取り外された状態を模式的に図示する断面図である。
【図６】実施の形態２の映像表示装置の、導光装置及びカバーが取り付け部から取り外された状態を模式的に図示する斜視図である。
【図７】実施の形態３の映像表示装置に備えられる導光装置を模式的に図示する斜視図である。
【図８】実施の形態３の映像表示装置においてホルダーに取り付けることができる複数の導光部を模式的に図示する斜視図である。
【図９】実施の形態３の映像表示装置においてホルダーに取り付けることができる複数の導光部を模式的に図示する斜視図である。
【発明を実施するための形態】
【００１６】
１  実施の形態１
図１は、実施の形態１の映像表示装置を模式的に図示する斜視図である。
【００１７】
図１に図示される実施の形態１の映像表示装置１は、狭額縁タイプのベゼルを有する。
【００１８】
映像表示装置１は、筐体１１、表示部１２及び導光装置１３を備える。
【００１９】
表示部１２は、筐体１１に収容される。表示部１２は、液晶パネル、有機エレクトロルミネッセンス（ＥＬ）パネル等である。表示部１２は、映像を表示する。
【００２０】
導光装置１３は、筐体１１に取り付けられる。導光装置１３は、入射面１１１ｉを有する。入射面１１１ｉは、表示部１２の表示面１２ｄが配置される側と同じ側に配置される。これにより、入射面１１１ｉは、表示面１２ｄが配置される側と同じ側からリモコンＲにより発せられた赤外線光ＩＲを受光することができる。導光装置１３は、入射面１１１ｉが赤外線光ＩＲを受光することができるかぎり、任意の位置に取り付けられる。
【００２１】
図２は、実施の形態１の映像表示装置の一部を模式的に図示する断面図である。図２は、図１の切断線Ｘ−Ｘが描かれた位置における断面を図示する。
【００２２】
映像表示装置１は、図２に図示されるように、筐体１１及び導光装置１３に加えて、リモコン受光部１４、受光部本体１５及び保護部１６を備える。
【００２３】
筐体１１は、図１及び図２に図示されるように、背面１１ｒ、上面１１ｕ、底面１１ｂ及び側面１１ｓを有する。筐体１１は、背面１１ｒに、取り付け部１０１を備える。また、筐体１１は、上面１１ｕ、底面１１ｂ及び側面１１ｓから選択されるすくなくともひとつの面に、開口部１０２を有する。実施の形態１においては、筐体１１は、底面１１ｂに開口部１０２を有する。
【００２４】
導光装置１３は、導光部１１１及びホルダー１１２を備える。
【００２５】
導光部１１１は、入射面１１１ｉ及び出射面１１１ｅを有する。導光部１１１は、光を伝播する透明な樹脂により構成される。透明な樹脂は、例えば、アクリル樹脂である。導光部１１１が、透明な樹脂以外の透明な材質により構成されてもよい。例えば、導光部１１１が、透明なガラスにより構成されてもよい。導光部１１１は、入射面１１１ｉに入射した光を出射面１１１ｅまで導き、導いた光を出射面１１１ｅから出射させる。
【００２６】
ホルダー１１２は、底面部１２１及び背面部１２２を備える。ホルダー１１２は、板状の形状を有し、底面部１２１と背面部１２２との間で折り曲げられている。底面部１２１は、導光部１１１を保持する。これにより、ホルダー１１２は、導光部１１１を保持する。背面部１２２は、取り付け部１０１に着脱可能である。これにより、ホルダー１１２は、導光部１１１を保持した状態で取り付け部１０１に着脱可能である。ホルダー１１２は、背面１１ｒにある取り付け部１０１に取り付けられることにより、背面１１ｒに取り付けられる。ホルダー１１２が取り付け部１０１に取り付けられた場合は、出射面１１１ｅは、開口部１０２を介してリモコン受光部１４に対向する。これにより、リモコン受光部１４は、出射面１１１ｅから出射した光を受光することができる。
【００２７】
リモコン受光部１４は、筐体１１に収容される。リモコン受光部１４は、開口部１０２に対向する。リモコン受光部１４は、リモコンＲからの赤外線光ＩＲを受光する。
【００２８】
受光部本体１５は、図示されない保持部材により筐体１１の内部に固定される。また、受光部本体１５は、リモコン受光部１４を固定する。これにより、リモコン受光部１４は、筐体１１の内部に固定される。
【００２９】
保護部１６は、リモコン受光部１４と開口部１０２との間に配置される。これにより、筐体１１の外部からリモコン受光部１４に触れることを規制することができる。保護部１６は、高い光透過率を有する材質により構成される。高い光透過率を有する材質は、例えば、アクリル樹脂である。映像表示装置１の使用目的、設置状況等のためにリモコン受光部１４が低い受光性能を有することが望まれる場合は、保護部１６が、低い光透過率を有する材質により構成されてもよい。保護部１６が省略されてもよい。
【００３０】
図３は、実施の形態１の映像表示装置の、導光装置が取り付け部から取り外された状態を模式的に図示する斜視図である。
【００３１】
映像表示装置１は、導光装置１３を取り付け部１０１に容易に着脱することができる構造を有する。例えば、図３に図示されるように、背面部１２２は、ネジ穴１２２ｈを有し、取り付け部１０１は、ネジ穴１０１ｈを有し、映像表示装置１は、ネジ１７をさらに備える。導光装置１３が取り付け部１０１に取り付けられる際には、ネジ穴１２２ｈの位置がネジ穴１０１ｈの位置にあわされ、ネジ１７がネジ穴１２２ｈを通されネジ穴１０１ｈに螺合させられる。導光装置１３が取り付け部１０１から取り外される際には、ネジ穴１０１ｈに螺合させられたネジ１７が外される。
【００３２】
リモコンＲに対してキー操作等の操作が行われた場合は、リモコンＲは、行われた操作に応じた赤外線光ＩＲを発する。
【００３３】
導光装置１３が取り付け部１０１に取り付けられている場合は、入射面１１１ｉが配置される側と同じ側に配置されたリモコンＲから発せられた赤外線光ＩＲが、入射面１１１ｉに入射する。入射した赤外線光ＩＲは、導光部１１１により導かれて入射面１１１ｉから出射面１１１ｅまで伝播し、出射面１１１ｅから出射する。出射した赤外線光ＩＲは、開口部１０２及び保護部１６を通って、リモコン受光部１４により受光される。
【００３４】
図４は、実施の形態１の映像表示装置の、導光装置が取り付け部から取り外された状態を模式的に図示する側面図である。図５は、実施の形態１の映像表示装置の、導光装置が取り付け部から取り外された状態を模式的に図示する断面図である。
【００３５】
導光装置１３が取り付け部１０１に取り付けられていない場合は、開口部１０２が配置される側と同じ側に配置されたリモコンＲにより発せられた赤外線光ＩＲは、図４に図示されるように、開口部１０２に到達する。到達した赤外線光ＩＲは、図５に図示されるように、保護部１６を通って、リモコン受光部１４により受光される。
【００３６】
映像表示装置１は、受光した赤外線光ＩＲに応じた動作を行う。これにより、映像表示装置１は、リモコンＲに行われた操作に応じた動作を行う。行われる動作は、電源のオン／オフ、音量調整等である。
【００３７】
実施の形態１の発明によれば、リモコンＲを用いて映像表示装置１を操作することがない場合は、筐体１１からはみ出す導光装置１３を取り外すことにより、リモコン受光部１４が目立たたなくなる。これにより、高い意匠性を有する映像表示装置１を提供することができる。
【００３８】
２  実施の形態２
図６は、実施の形態２の映像表示装置の、導光装置及びカバーが取り付け部から取り外された状態を模式的に図示する斜視図である。
【００３９】
実施の形態２の映像表示装置２は、実施の形態１の映像表示装置１と主に下述する点で相違する。下述されない点については、実施の形態１の映像表示装置１において採用される構成と同様の構成が実施の形態２の映像表示装置２においても採用される。
【００４０】
実施の形態１の映像表示装置１に備えられる筐体１１は、背面１１ｒに、ひとつの取り付け部１０１を備え、上面１１ｕ、底面１１ｂ及び側面１１ｓから選択されるすくなくともひとつの面に、ひとつの開口部１０２を有する。また、実施の形態１の映像表示装置１は、ひとつのリモコン受光部１４、ひとつの受光部本体１５及びひとつの保護部１６を備える。
【００４１】
これに対して、実施の形態２の映像表示装置２に備えられる筐体１１は、背面１１ｒに、複数の取り付け部１０１を備え、上面１１ｕ、底面１１ｂ及び側面１１ｓから選択されるすくなくともひとつの面に、複数の取り付け部１０１にそれぞれ対応する複数の開口部１０２を有する。また、実施の形態２の映像表示装置２は、筐体１１に収容され、複数の開口部１０２にそれぞれ対向し、赤外線光ＩＲを受光する複数のリモコン受光部１４を備える。また、実施の形態２の映像表示装置２は、複数のリモコン受光部１４をそれぞれ固定する複数の受光部本体１５を備える。また、実施の形態２の映像表示装置２は、複数のリモコン受光部１４と複数の開口部１０２との間にそれぞれ配置される複数の保護部１６を備える。
【００４２】
このため、映像表示装置２には、ひとつの取り付け部１０１、ひとつの取り付け部１０１に対応するひとつの開口部１０２、当該ひとつの開口部１０２に対向するひとつのリモコン受光部１４、当該ひとつのリモコン受光部１４を固定するひとつの受光部本体１５、当該開口部１０２と当該リモコン受光部１４との間に配置されるひとつの保護部１６等の構成要素により構成されるユニットが背面１１ｒに存在する。したがって、映像表示装置２には、複数のユニットが背面１１ｒに存在する。複数のユニットは、同じ形状を有し、同じ構成要素間の位置関係を有する。したがって、ホルダー１１２は、複数の取り付け部１０１に含まれる任意の第１の取り付け部１０１ａに取り付けることができる。これにより、導光装置１３は、複数の取り付け部１０１に含まれる任意の第１の取り付け部１０１ａに取り付けることができる。
【００４３】
また、映像表示装置２は、カバー１８を備える。映像表示装置２は、複数のカバー１８を備える場合もあるし、ひとつのカバー１８を備える場合もある。
【００４４】
カバー１８は、複数の取り付け部１０１に含まれる、第１の取り付け部１０１ａ以外の第２の取り付け部１０１ｂのすべてに取り付けられ、第２の取り付け部１０１ｂに対応する開口部１０２を塞ぐ。これにより、カバー１８が第２の取り付け部１０１ｂに取り付けられた場合は、第２の取り付け部１０１ｂが属するユニットと同じユニットに属するリモコン受光部１４は、赤外線光ＩＲを受光せず、第１の取り付け部１０１ａが属するユニットと同じユニットに属するリモコン受光部１４のみが、赤外線光ＩＲを受光することができる。
【００４５】
カバー１８の第２の取り付け部１０１ｂへの取り付けは、導光装置１３の第１の取り付け部１０１ａへの取り付けを行う方法と同じ方法により行われる。
【００４６】
実施の形態２の発明によれば、実施の形態１の発明と同様に、リモコン受光部１４が目立たたなくなる。これにより、高い意匠性を有する映像表示装置２を提供することができる。
【００４７】
加えて、実施の形態２の発明によれば、導光装置１３を、複数の取り付け部１０１から選択された任意の第１の取り付け部１０１ａに取り付けることができる。このため、映像表示装置２の設置状況に応じて、赤外線光ＩＲを受光するメインのリモコン受光部１４の位置を変更することができる。
【００４８】
３  実施の形態３
図１は、実施の形態３の映像表示装置を模式的に図示する斜視図でもある。図２は、実施の形態３の映像表示装置の一部を模式的に図示する断面図でもある。図３は、実施の形態３の映像表示装置の、導光装置が取り付け部から取り外された状態を模式的に図示する斜視図でもある。
【００４９】
実施の形態３の映像表示装置３は、実施の形態１の映像表示装置１と主に下述する点で相違する。下述されない点については、実施の形態１の映像表示装置１において採用される構成と同様の構成が実施の形態３の映像表示装置３においても採用される。
【００５０】
実施の形態１の映像表示装置１においては、導光部１１１をホルダー１１２から着脱することができない。これに対して、実施の形態３の映像表示装置３においては、導光部１１１をホルダー１１２から着脱することができる。
【００５１】
図７は、実施の形態３の映像表示装置に備えられる導光装置を模式的に図示する斜視図である。
【００５２】
図７に図示される導光装置１３においては、図７（ａ）に図示されるように、背面部１２２が、フック部１３１を有し、図７（ｂ）に図示されるように、底面部１２１が、凸部１３２を有し、導光部１１１が穴部１３３を有する。導光部１１１がホルダー１１２に取り付けられる際には、導光部１１１がフック部１３１と底面部１２１との間に差し込まれ、凸部１３２が穴部１３３に係合させられる。これにより、導光部１１１がホルダー１１２に嵌め込まれる。この構造によれば、導光部１１１がフック部１３１に引っ掛けられ、凸部１３２が穴部１３３に引っ掛けられたにすぎない状態で導光部１１１がホルダー１１２に保持されるので、導光部１１１をホルダー１１２から容易に取り外すことができる。
【００５３】
図８及び図９は、実施の形態３の映像表示装置においてホルダーに取り付けることができる複数の導光部を模式的に図示する斜視図である。
【００５４】
映像表示装置３において、図８（ａ）、図８（ｂ）及び図８（ｃ）にそれぞれ図示される複数の導光部１４１ａ，１４１ｂ及び１４１ｃから選択されるメイン導光部１１１がホルダー１１２に取り付けられてもよい。複数の導光部１４１ａ，１４１ｂ及び１４１ｃは、赤外線光ＩＲについて、互いに異なる受光感度を有する。図８（ａ）に図示される導光部１４１ａの受光感度は、最も低い。図８（ｃ）に図示される導光部１４１ｃの受光感度は、最も高い。図８（ｂ）に図示される導光部１４１ｂの受光感度は、導光部１４１ａの受光感度と導光部１４１ｃの受光感度との中間である。
【００５５】
実施の形態３の映像表示装置３において、図９（ａ）及び図９（ｂ）にそれぞれ図示される複数の導光部１４２ａ及び１４２ｂから選択されるメイン導光部１１１がホルダー１１２に取り付けられてもよい。複数の導光部１４２ａ及び１４２ｂは、赤外線光ＩＲの受光について、互いに異なる指向性を有する。図９（ａ）に図示される導光部１４２ａは、入射面１５２ａが前方から見て左方向に傾けられているため、前方から見て左方向に強い指向性を有する。図９（ｂ）に図示される導光部１４２ｂは、入射面１５２ｂが前方から見て右方向に傾けられているため、前方から見て右方向に強い指向性を有する。
【００５６】
実施の形態３の発明によれば、実施の形態１の発明と同様に、リモコン受光部１４が目立たたなくなる。これにより、高い意匠性を有する映像表示装置３を提供することができる。
【００５７】
加えて、実施の形態３の発明によれば、互いに異なる受光特性を有する複数の導光部、例えば、互いに異なる受光感度、指向性等を有する複数の導光部からホルダー１１２に取り付けられるメイン導光部１１１を選択することができる。このため、映像表示装置３の設置状況に応じた受光特性を有するメイン導光部１１１がホルダー１１２に取り付けられるようにホルダー１１２に取り付けられる導光部を交換することができる。
【００５８】
なお、本発明は、その発明の範囲内において、各実施の形態を自由に組み合わせたり、各実施の形態を適宜、変形、省略することが可能である。
【００５９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６０】
１，２，３  映像表示装置、１１  筐体、１２  表示部、１３  導光装置、１４  リモコン受光部、１５  受光部本体、１６  保護部、１７  ネジ、１８  カバー、１０１  取り付け部、１０２  開口部、１１１，１４１ａ，１４１ｂ，１４１ｃ，１４２ａ，１４２ｂ  導光部、１１２  ホルダー、１１１ｉ，１５２ａ，１５２ｂ  入射面、１１１ｅ  出射面、Ｒ  リモコン、ＩＲ  赤外線光。
【図１】
2020182036.tif 000003
【図２】
2020182036.tif 000004
【図３】
2020182036.tif 000005
【図４】
2020182036.tif 000006
【図５】
2020182036.tif 000007
【図６】
2020182036.tif 000008
【図７】
2020182036.tif 000009
【図８】
2020182036.tif 000010
【図９】
2020182036.tif 000011